(57)【特許請求の範囲】
【請求項１】
底板に貫通孔を設けた大型コンクリートブロック製品を、基礎面上に支承手段を介してこの大型コンクリートブロック製品の底板を浮かせた状態で支承すると共に、この大型コンクリートブロック製品の底板をこの支承手段によって所定の水平状態若しくは傾斜状態に保持せしめ、この基礎面と大型コンクリートブロック製品の底板との間隙にセメントミルクやモルタルミルクなどの硬化剤を充填して基礎面上に大型コンクリートブロック製品を設置固定し、この硬化剤を充填する前若しくは後に前記底板に設けた貫通孔に底板の上方から滑動防止ピンを投入して、底板を貫通し前記間隙に突出するこの滑動防止ピンの少なくとも投入先端側をこの間隙に充填された硬化する前の硬化剤に埋没せしめ、この間隙で硬化した硬化剤に滑動防止ピンの少なくとも投入先端側を埋没状態で固定させることを特徴とする大型コンクリートブロック製品の設置法。
【請求項２】
底板にセメントミルクやモルタルミルクなどの硬化剤を注入するための注入口を有する大型コンクリートブロック製品を、基礎面上に支承手段を介してこの大型コンクリートブロック製品の底板を浮かせた状態で支承すると共に、この大型コンクリートブロック製品の底板をこの支承手段によって所定の水平状態若しくは傾斜状態に保持せしめ、この基礎面と大型コンクリートブロック製品の底板との間隙に前記注入口から前記硬化剤を充填して基礎面上に大型コンクリートブロック製品を設置固定し、この硬化剤を充填する前若しくは後に前記底板に設けた注入口に底板の上方から滑動防止ピンを投入して、底板を貫通し前記間隙に突出するこの滑動防止ピンの少なくとも投入先端側をこの間隙に充填された硬化する前の硬化剤に埋没せしめ、この間隙で硬化した硬化剤に滑動防止ピンの少なくとも投入先端側を埋没状態で固定させることを特徴とする大型コンクリートブロック製品の設置法。
【請求項３】
基礎面と大型コンクリートブロック製品の底板との間隙にセメントミルクやモルタルミルクなどの硬化剤を充填する前若しくは後に、大型コンクリートブロック製品の底板の上方から基礎面に向けて少なくとも大型コンクリートブロック製品の底板を貫通して硬化剤にまで達する釘を打ち込みすることを特徴とする請求項１，２のいずれか１項に記載の大型コンクリートブロック製品の設置法。
【請求項４】
前記釘は、大型コンクリートブロック製品の底板の上面から基礎面に向けて打ち込むことによりこの底板と硬化剤とを貫通して基礎面にまで達するようにしたことを特徴とする請求項３記載の大型コンクリートブロック製品の設置法。
【請求項５】
前記大型コンクリートブロック製品は、底板に前記釘を打ち込み挿入するための釘打ち穴を形成したものを使用し、この釘打ち穴から硬化剤が硬化する前に基礎面に向けて釘を打ち込みすることを特徴とする請求項３，４のいずれか１項に記載の大型コンクリートブロック製品の設置法。
【発明の詳細な説明】
【０００１】
【発明の属する技術分野】
本発明は、擁壁、排水溝、排水トンネル等を作るときに使用する擁壁ブロック、排水溝ブロック、柵渠溝ブロック、ボックスカルバートなどの大型コンクリートブロック製品の設置法に関するものである。
【０００２】
【従来の技術及び発明が解決しようとする課題】
この種の大型コンクリートブロック製品としては、例えば土留用擁壁コンクリートブロックがあるが、この土留用擁壁コンクリートブロックは後方から強い土圧を受けると少しずつ前方へずり動し、これによって面一状態に連続している擁壁面も次第に位置ずれを生じて体裁不良になるだけでなく、このずり動が原因となって土留用擁壁コンクリートブロックが崩れ易くなり土留の役割を果たさなくなってしまうことがある。
【０００３】
本発明は、この欠点を解決することが技術的課題であって、基礎面に対して大型コンクリートブロック製品を前方へずり動することなく確固に止着できる画期的な大型コンクリートブロックの設置法を提供するものである。
【０００４】
【課題を解決するための手段】
添付図面を参照して本発明の要旨を説明する。
【０００５】
底板１に貫通孔２を設けた大型コンクリートブロック製品Ａを、基礎面３上に支承手段４を介してこの大型コンクリートブロック製品Ａの底板１を浮かせた状態で支承すると共に、この大型コンクリートブロック製品Ａの底板１をこの支承手段４によって所定の水平状態若しくは傾斜状態に保持せしめ、この基礎面３と大型コンクリートブロック製品Ａの底板１との間隙５にセメントミルクやモルタルミルクなどの硬化剤６を充填して基礎面３上に大型コンクリートブロック製品Ａを設置固定し、この硬化剤６を充填する前若しくは後に前記底板１に設けた貫通孔２に底板１の上方から滑動防止ピン７を投入して、底板１を貫通し前記間隙５に突出するこの滑動防止ピン７の少なくとも投入先端側をこの間隙５に充填された硬化する前の硬化剤６に埋没せしめ、この間隙５で硬化した硬化剤６に滑動防止ピン７の少なくとも投入先端側を埋没状態で固定させることを特徴とする大型コンクリートブロック製品の設置法に係るものである。
【０００６】
また、底板１にセメントミルクやモルタルミルクなどの硬化剤６を注入するための注入口８を有する大型コンクリートブロック製品Ａを、基礎面３上に支承手段４を介してこの大型コンクリートブロック製品Ａの底板１を浮かせた状態で支承すると共に、この大型コンクリートブロック製品Ａの底板１をこの支承手段４によって所定の水平状態若しくは傾斜状態に保持せしめ、この基礎面３と大型コンクリートブロック製品Ａの底板１との間隙５に前記注入口８から前記硬化剤６を充填して基礎面３上に大型コンクリートブロック製品Ａを設置固定し、この硬化剤６を充填する前若しくは後に前記底板１に設けた注入口８に底板１の上方から滑動防止ピン７を投入して、底板１を貫通し前記間隙５に突出するこの滑動防止ピン７の少なくとも投入先端側をこの間隙５に充填された硬化する前の硬化剤６に埋没せしめ、この間隙５で硬化した硬化剤６に滑動防止ピン７の少なくとも投入先端側を埋没状態で固定させることを特徴とする大型コンクリートブロック製品の設置法に係るものである。
【０００７】
また、基礎面３と大型コンクリートブロック製品Ａの底板１との間隙５にセメントミルクやモルタルミルクなどの硬化剤６を充填する前若しくは後に、大型コンクリートブロック製品Ａの底板１の上方から基礎面３に向けて少なくとも大型コンクリートブロック製品Ａの底板１を貫通して硬化剤６にまで達する釘９を打ち込みすることを特徴とする請求項１，２のいずれか１項に記載の大型コンクリートブロック製品の設置法に係るものである。
【０００８】
また、前記釘９は、大型コンクリートブロック製品Ａの底板１の上面から基礎面３に向けて打ち込むことによりこの底板１と硬化剤６とを貫通して基礎面３にまで達するようにしたことを特徴とする請求項３記載の大型コンクリートブロック製品の設置法に係るものである。
【０００９】
また、前記大型コンクリートブロック製品Ａは、底板１に前記釘９を打ち込み挿入するための釘打ち穴１０を形成したものを使用し、この釘打ち穴１０から硬化剤６が硬化する前に基礎面３に向けて釘９を打ち込みすることを特徴とする請求項３，４のいずれか１項に記載の大型コンクリートブロック製品の設置法に係るものである。
【００１０】
【発明の実施の形態】
好適と考える本発明の実施の形態（発明をどのように実施するか）を、図面に基づいてその作用効果を示して簡単に説明する。
【００１１】
基礎面３上に支承手段４を介して大型コンクリートブロック製品Ａの底板１を浮かせた状態で支承すると共に、この大型コンクリートブロック製品Ａの底板１をこの支承手段４によって所定の水平状態若しくは傾斜状態に保持する。
【００１２】
続いて、この基礎面３と大型コンクリートブロック製品Ａの底板１との間隙５に例えば底板１に設けた注入口８からセメントミルクやモルタルミルクなどの硬化剤６を注入充填し、硬化剤６を硬化させて基礎面３上に大型コンクリートブロック製品Ａを設置固定するが、この硬化剤６を充填する前若しくは後に、底板１に設けた貫通孔２若しくは前記注入口８に底板１の上方から滑動防止ピン７を投入して、底板１を貫通し前記間隙５に突出するこの滑動防止ピン７の少なくとも投入先端側をこの間隙５に充填された硬化する前の硬化剤６に埋没させる。
【００１３】
そして、硬化剤６が硬化するのを待って施工終了となる。
【００１４】
設置終了後は、貫通孔２若しくは注入口８から投入した滑動防止ピン７の少なくとも投入先端側が間隙５で硬化した硬化剤６に埋没状態で固定されているためにこの滑動防止ピン２が所謂鉄筋のような役割を果たして大型コンクリートブロック製品Ａと硬化剤６とが極めて強固に固定されることになり、よってこのような滑動防止ピン７のない従来の設置法と比べると、大型コンクリートブロック製品Ａがより強固に固定されるために後方から土圧を受けてもこの大型コンクリートブロック製品Ａが前方へ移動しようとすることに対して極めて強い抵抗力を発揮することになり、大型コンクリートブロック製品Ａは、基礎面３（硬化剤６）に対して前方へずり動しない状態に確固に固定されることになる。
【００１５】
従って、基礎面３に対して大型コンクリートブロック製品Ａを前方へずり動することなく確固に止着できることになり、しかも従来の設置法と比べて単に貫通孔２若しくは注入口８から滑動防止ピン７を投入するだけの作業を追加するだけで良いため、作業が複雑化することなく従来と略同様の作業によって行うことができるなど極めて実用性に秀れた画期的な大型コンクリートブロックの設置法となる。
【００１６】
【実施例】
本発明の具体的な実施例について図面に基づいて説明する。
【００１７】
図面は、本発明の好適な実施の八例を示したもので、図１は第一実施例、図２は第二実施例、図３は第三実施例、図４は第四実施例、図５は第五実施例、図６は第六実施例、図７は第七実施例、図８は第八実施例である。尚、いずれの図面も、説明上必要な部分だけを切り欠いた断面図としている。
【００１８】
第一実施例について説明すると、底板１に貫通孔２を設けた大型コンクリートブロック製品Ａを、基礎面３上に支承手段４を介してこの大型コンクリートブロック製品Ａの底板１を浮かせた状態で支承すると共に、この大型コンクリートブロック製品Ａの底板１をこの支承手段４によって所定の水平状態若しくは傾斜状態に保持せしめ、この基礎面３と大型コンクリートブロック製品Ａの底板１との間隙５にセメントミルクやモルタルミルクなどの硬化剤６を充填して基礎面３上に大型コンクリートブロック製品Ａを設置し、この硬化剤６を充填する前若しくは後に前記貫通孔２に滑動防止ピン７を投入して、この滑動防止ピン７の少なくとも投入先端側を硬化する前の硬化剤６に埋没せしめることを特徴とする大型コンクリートブロック製品の設置法に係るものである。
【００１９】
本実施例は、大型コンクリートブロック製品Ａとして土留用擁壁ブロックに適用した場合を示している。
【００２０】
また、貫通孔２は、詳しく図示していないが、底板１の前側左右位置と、後ろ側中央位置との計三箇所に形成している。
【００２１】
本実施例の滑動防止ピン７は、単なる金属製の棒状体を採用している。また、この滑動防止ピン７は、支承手段４により浮かせた状態で支承されている大型コンクリートブロック製品Ａの前記貫通孔２にこの滑動防止ピン７を投入すると、その投入先端が基礎面３に間隙５を介して当接した際に、貫通孔２から滑動防止ピン７の投入基端側が抜け外れない長さ寸法に設定している。即ち、貫通孔２に滑動防止ピン７を投入すると、抜け外れる前にこの滑動防止ピン７の投入先端側が間隙５に突出するように構成している。
【００２２】
また、この滑動防止ピン７と前記貫通孔２とは、この貫通孔２に滑動防止ピン７を投入しにくくならない程度であって、且つ投入した際には滑動防止ピン７と貫通孔２内面とにあまり隙間を生じないようにこの滑動防止ピン７の外径寸法と貫通孔２の内径寸法とを設定構成し、これにより滑動防止ピン７に対して大型コンクリートブロック製品Ａがほとんど動かないようにして、設置後の基礎面３に対する大型コンクリートブロック製品Ａのずり動防止効果を向上させている。
【００２３】
尚、前記貫通孔２の配置構造（形成位置）は適宜設計変更可能であるが、少なくとも本実施例のような貫通孔２の配置構造とすると、三箇所の貫通孔２から突出する滑動防止ピン７によって極めて良好なずり動防止効果が得られることが出願人の試作実験により確認されている。
【００２４】
次に、具体的な設置法について説明する。
【００２５】
先ず、基礎面３の、大型コンクリートブロック製品Ａの下面重心位置若しくはその近傍が当接する位置に、大型コンクリートブロック製品Ａを基礎面３より浮かせる支承体１１を載置し、この支承体１１上に大型コンクリートブロック製品Ａの重心位置若しくはその近傍を合わせるようにして大型コンクリートブロック製品Ａを載置する。尚、図面の支承体１１は、単に扁平方形板を二枚重ねたものを採用している。
【００２６】
この際、この支承体１１を支点とするヤジロベー作動により大型コンクリートブロック製品Ａを揺り動かしたりずり動かすことを容易に行うことができるので、大型コンクリートブロック製品Ａが所定の位置よりわずかにずれている場合は、支承体１１を支点とするヤジロベー作動により大型コンクリートブロック製品Ａを揺り動かしたりずり動かしたりして簡易に位置是正することができる。
【００２７】
従って、この支承体１１を使用することにより、例えば、隣接する大型コンクリートブロック製品Ａの擁壁板１２を正しい傾斜状態で面一に合わせることも、左右をピッタリと隣の大型コンクリートブロック製品Ａに合わせることも容易に行われることになり、大型コンクリートブロック製品Ａを常に正しい位置並びに正しい状態に是正することが簡易に行い得ることになる構成としている。
【００２８】
続いて、この大型コンクリートブロック製品Ａを正しい状態に是正したら、この大型コンクリートブロック製品Ａの底板１の下面四隅と基礎面３との間隙５に支承手段４としてのライナープレート４Ａを配設して姿勢を保持する。
【００２９】
それから、この大型コンクリートブロック製品Ａの底板１の下面と基礎面３との間隙５に、底板１に形成した注入口８からセメントミルクやモルタルミルクなどの硬化剤６を注入充填し、硬化剤６を硬化させて基礎面３上に大型コンクリートブロック製品Ａを設置固定するが、この硬化剤６を充填する前若しくは後に、底板１に設けた貫通孔２に滑動防止ピン７を投入して、この滑動防止ピン７の投入先端側を硬化する前に硬化剤６に埋没させる。
【００３０】
そして、硬化剤６が硬化するのを待って施工終了となる。
【００３１】
また、この際、本実施例では、大型コンクリートブロック製品Ａの底板１と基礎面３との間隙５の回りに目張り１３を施し、この目張り１３によって前記硬化剤６が脇から流れ出ることを防止している。
【００３２】
このようにして設置した本実施例によると、設置終了後、この大型コンクリートブロック製品Ａは後方から土圧を受けることになるが、貫通孔２から投入した滑動防止ピン７の投入先端側が硬化した硬化剤６に埋没状態で固定されているためにこの滑動防止ピン２が所謂鉄筋のような役割を果たして大型コンクリートブロック製品Ａと硬化剤６とが極めて強固に固定されることになり、よって土圧により大型コンクリートブロック製品Ａが前方へ移動しようとすることに対して極めて強い抵抗力を発揮することになり、大型コンクリートブロック製品Ａは、基礎面３（硬化剤６）に対して前方へずり動しない状態に確固に固定されることになる。
【００３３】
また、従来の設置法と比べて単に貫通孔２から滑動防止ピン７を投入するだけの作業を追加するだけで良いため、作業が複雑化することなく従来と略同様の作業によって行うことができる。
【００３４】
第二実施例について説明すると、本実施例は、前記第一実施例において、大型コンクリートブロック製品Ａとして排水溝１６付ブロックを採用した場合である。
【００３５】
また、本実施例では、詳しく図示していないが、底板１の前後方向中程の左右部に前記貫通孔２を形成した場合を示している。
【００３６】
第三実施例について説明すると、本実施例は、第一実施例の設置法において、基礎面３と大型コンクリートブロック製品Ａの底板１との間隙５に硬化剤６を充填する前若しくは後に、大型コンクリートブロック製品Ａの底板１の上方から基礎面３に向けて少なくとも大型コンクリートブロック製品Ａの底板１を貫通して硬化剤６にまで達する釘９を打ち込みしているものである。
【００３７】
本実施例の大型コンクリートブロック製品Ａは、第一実施例の大型コンクリートブロック製品Ａにおいて、更に底板１に釘９を打ち込み挿入するための釘打ち穴１０を形成してあるものを使用している。
【００３８】
また、この釘打ち穴１０は、詳しく図示していないが、底板１の前後方向中程の左右部に形成した場合を示している。この釘打ち穴１０の配置構造については適宜設計変更可能であるが、少なくとも本実施例のような配置構造とすることで、極めて良好なずり動防止効果が得られることが出願人の試作実験により確認されている。
【００３９】
釘９は、大型コンクリートブロック製品Ａの底板１の上面から基礎面３に向けて打ち込むことによりこの底板１と硬化剤６とを貫通して基礎面３にまで達する長さ寸法のものを採用している。
【００４０】
また、この釘９を前記釘打ち穴１０に打ち込み挿入した際に、釘９と釘打ち穴１０内面とにほとんど隙間を生じることがないようにこの釘９の外径寸法と釘打ち穴１０の内径寸法とを設定構成し、これにより釘９に対して大型コンクリートブロック製品Ａがほとんど動かないようにして、設置後の基礎面３に対する大型コンクリートブロック製品Ａのずり動防止効果を向上させている。
【００４１】
本実施例の具体的な設置法について説明すると、前記第一実施例の設置法で、基礎面３上に大型コンクリートブロック製品Ａを設置した後、大型コンクリートブロック製品Ａの底板１の上方から釘打ち穴１０を介して基礎面３に向けて釘９を打ち込むことで、施工終了となる。また、硬化剤６を充填する前に釘９を打ち込みし、それから硬化剤６を間隙５に充填するようにしても良い。
【００４２】
また、釘９は、硬化剤６が硬化する前に打ち込んでも、硬化した後に打ち込んでも良いが、硬化剤６が硬化する前に打ち込んだ方が打ち込み作業を楽に行うことができる。
【００４３】
このようにして設置した本実施例によると、滑動防止ピン７によるずり動防止効果と、釘９によるずり動防止効果との相乗ずり動防止効果が得られるため、前記第一実施例に比して、より一層強力な前方へのずり動防止作用効果が得られることになる。
【００４４】
尚、本実施例では、底板１に釘９打ち込み用の釘打ち穴１０を設けた大型コンクリートブロック製品Ａを使用した場合を示しているが、釘打ち穴１０のない大型コンクリートブロック製品Ａの底板１に直接釘９を打ち込みする構成としても良く、このように構成すると、釘打ち穴１０を形成せずとも良いため、一層簡易に大型コンクリートブロック製品Ａを構成できることになる。
【００４５】
また、本実施例では、底板１から基礎面３にまで達する長さ寸法の釘９を採用したが、この釘９は大型コンクリートブロック製品Ａの底板１を貫通して硬化剤６にまで達する長さのものでも良い。
【００４６】
第四実施例について説明すると、本実施例は、前記第三実施例において、大型コンクリートブロック製品Ａとして排水溝１６付ブロックを採用した場合である。
【００４７】
また、本実施例では、前記第二実施例と同様に、底板１の前後方向中程の左右部に前記貫通孔２を形成した場合を示している。
【００４８】
第五実施例について説明すると、本実施例は、底板１にセメントミルクやモルタルミルクなどの硬化剤６を注入するための注入口８を有する大型コンクリートブロック製品Ａを、基礎面３上に支承手段４を介してこの大型コンクリートブロック製品Ａの底板１を浮かせた状態で支承すると共に、この大型コンクリートブロック製品Ａの底板１をこの支承手段４によって所定の水平状態若しくは傾斜状態に保持せしめ、この基礎面３と大型コンクリートブロック製品Ａの底板１との間隙５に前記注入口８から前記硬化剤６を充填して基礎面３上に大型コンクリートブロック製品Ａを設置し、この硬化剤６を充填する前若しくは後に前記注入口８に滑動防止ピン７を投入して、この滑動防止ピン７の少なくとも投入先端側を硬化する前の硬化剤６に埋没せしめることを特徴とする大型コンクリートブロック製品の設置法に係るものである。
【００４９】
具体的には、前記第一実施例において、大型コンクリートブロック製品Ａの底板１に貫通孔２を設けず、注入口８に滑動防止ピン７を投入した場合である。
【００５０】
従って、本実施例においては、前記第一実施例の作用効果に加えて、既存の注入口８付の大型コンクリートブロック製品Ａを使用して設置法を実施できるため、よりコストの掛からない設置法を実現できる。
【００５１】
また、この本実施例の場合、図示したように、滑動防止ピン７と注入口８とに隙間が生じるが、この注入口８内も硬化剤６で充填して注入口８内の硬化剤６の硬化により滑動防止ピン７と大型コンクリートブロック製品Ａとが固定されるように構成し、これにより設置後の基礎面３に対する大型コンクリートブロック製品Ａのずり動防止効果を向上させている。尚、この本実施例の構成とせずに、滑動防止ピン７の外径寸法を注入口８の内径寸法よりも若干径小となる外径寸法に設定することにより滑動防止ピン７が注入口８内でほとんど動かないようにして、上記同様の作用効果を奏する構成としても良い。
【００５２】
第六実施例について説明すると、本実施例は、前記第五実施例において、大型コンクリートブロック製品Ａとして排水溝１６付ブロックを採用した場合である。
【００５３】
第七実施例について説明すると、本実施例は、前記第五実施例の設置法において、基礎面３と大型コンクリートブロック製品Ａの底板１との間隙５に硬化剤６を充填する前若しくは後に、大型コンクリートブロック製品Ａの底板１の上方から基礎面３に向けて少なくとも大型コンクリートブロック製品Ａの底板１を貫通して硬化剤６にまで達する釘９を打ち込みしているものである。
【００５４】
具体的には、本実施例の大型コンクリートブロック製品Ａは、底板１の前側左右位置と、後ろ側中央位置との計三箇所に釘打ち穴１０を形成してあるものを使用し、この夫々の釘打ち穴１０から釘９を基礎面３に向けて打ち込みできるように構成している。
【００５５】
本実施例の具体的な設置法については、前記第三実施例と略同様であるため、省略する。
【００５６】
従って、本実施例においては、前記滑動防止ピン７によるずり動防止効果と、釘９によるずり動防止効果との相乗ずり動防止効果が得られるため、前記第五実施例に比してより一層強力な前方へのずり動防止作用効果が得られることになる。
【００５７】
第八実施例について説明すると、本実施例は、前記第七実施例において、大型コンクリートブロック製品Ａとして排水溝１６付ブロックを採用した場合である。
【００５８】
また、本実施例では、詳しく図示していないが、底板１の前後方向中程の左右部に前記釘打ち穴１０を形成した場合を示している。
【００５９】
尚、図中符号１４は基礎面１を構成する砂利、１５は栗石である。
【００６０】
【発明の効果】
本発明は上述のように、底板に設けた貫通孔若しくは前記注入口に底板の上方から滑動防止ピンを投入して、この滑動防止ピンの少なくとも投入先端側を基礎面と底板との間の間隙に充填された硬化する前の硬化剤に埋没させた上で硬化剤を硬化させて基礎面上に大型コンクリートブロック製品を設置固定するから、設置終了後には、貫通孔若しくは注入口から投入した滑動防止ピンの投入先端側が前記間隙で硬化した硬化剤に埋没状態で固定されているためにこの滑動防止ピンが所謂鉄筋のような役割を果たして大型コンクリートブロック製品と硬化剤とが極めて強固に固定されることになり、よってこのような滑動防止ピンのない従来の設置法と比べると、大型コンクリートブロック製品がより強固に固定されるために、後方から土圧を受けてもこの大型コンクリートブロック製品が前方へ移動しようとすることに対して極めて強い抵抗力を発揮し、大型コンクリートブロック製品は基礎面（硬化剤）に対して前方へずり動しない状態に確固に固定されることになる極めて秀れた大型コンクリートブロックの設置法となる。
【００６１】
しかも本発明は、従来の設置法と比べて単に貫通孔若しくは注入口に底板の上方から滑動防止ピンを投入するだけの作業を追加するだけで良いため、作業が複雑化することなく従来と略同様の作業によって行うことができる極めて作業性・実用性に秀れた画期的な大型コンクリートブロックの設置法となる。
【００６２】
また、特に請求項２記載の発明においては、既存の注入口付の大型コンクリートブロック製品を使用して本発明の設置法を実施できるため、よりコストの掛からない設置法を実現できることになる極めて実用性に秀れた画期的な大型コンクリートブロック製品の設置法となる。
【００６３】
また、請求項３記載の発明においては、滑動防止ピンによるずり動防止効果と、釘によるずり動防止効果とが得られるため、この相乗ずり動防止効果によって、一層強固なずり動防止抵抗力を発揮することになる極めて実用性に秀れた大型コンクリートブロック製品の設置法となる。
【００６４】
また、請求項４記載の発明においては、釘が基礎面にまで達するために一層強固なずり動防止抵抗力を発揮することになる極めて実用性に秀れた大型コンクリートブロック製品の設置法となる。
【００６５】
また、請求項５記載の発明においては、例えば、大型コンクリートブロック製品の底板に直接釘を打ち込む場合には、底板にひびが入ってしまったりして強度を損なう恐れがあるが、本発明によればこのような問題を全く生じることがなく、しかも釘打ち穴により釘の打ち込み作業を極めて容易に行うことができる上に、硬化剤が硬化する前に釘を打ち込みするからこの釘打ち作業を非常に容易に行うことができるなど極めて秀れた作業性を発揮する実用性に秀れた大型コンクリートブロック製品の設置法となる。
【図面の簡単な説明】
【図１】第一実施例の施工完了状態を示す説明断面図である。
【図２】第二実施例の施工完了状態を示す説明断面図である。
【図３】第三実施例の施工完了状態を示す説明断面図である。
【図４】第四実施例の施工完了状態を示す説明断面図である。
【図５】第五実施例の施工完了状態を示す説明断面図である。
【図６】第六実施例の施工完了状態を示す説明断面図である。
【図７】第七実施例の施工完了状態を示す説明断面図である。
【図８】第八実施例の施工完了状態を示す説明断面図である。
【符号の説明】
１  底板
２  貫通孔
３  基礎面
４  支承手段
５  間隙
６  硬化剤
７  滑動防止ピン
８  注入口
９  釘
１０  釘打ち穴
Ａ  大型コンクリートブロック製品
【図１】
0003580740.tif 000002
【図２】
0003580740.tif 000003
【図３】
0003580740.tif 000004
【図４】
0003580740.tif 000005
【図５】
0003580740.tif 000006
【図６】
0003580740.tif 000007
【図７】
0003580740.tif 000008
【図８】
0003580740.tif 000009